(57)【要約】      （修正有）【課題】被検者眼の眼底を複数個の発光素子を用いたパターン光で照明する、コンパクトな照射光学系を備えた眼科装置を提供する。【解決手段】所定の波長域の光を発する第１の照明光源であって，照明光学系の光軸に沿って照明光束を照射するように配置される第１照明光源と、第１照明光源とは異なる波長域の光を発する第２の照明光源であって，光軸に対して第１照明光源より離れた位置に配置され光軸に近づく方向に向けて照明光束を照射するように配置される第２照明光源９１ａ〜９１ｈと、を一対の光源とし、一対の光源を照明光学系の軸周りに複数並べて所定のパターン状に一体的に配置してなる照明手段を備える。更に、一対とされる一方の第２照明光源から発せられる照明光束を他方の第１照明光源の照明光束と同軸とし，同軸とされた両光源からの照明光束を光学部材に向けて光軸に沿うようにガイドするガイド部材９３ａ〜９３ｈを備える。【選択図】図５
2018038496.tif 000002
【特許請求の範囲】
【請求項１】
被検者眼の眼底を照明するための照明光学系を備える眼科装置において、
前記照明光学系は、所定の波長域の光を発する第１の照明光源であって，前記照明光学系の光軸に沿って照明光束を照射するように配置される第１照明光源と、該第１照明光源とは異なる波長域の光を発する第２の照明光源であって，前記光軸に対して前記第１照明光源より離れた位置に配置され前記光軸に近づく方向に向けて照明光束を照射するように配置される第２照明光源と、を一対の光源とし、該一対の光源を前記照明光学系の軸周りに複数並べて所定のパターン状に一体的に配置してなる照明手段と、
前記照明手段の前記第１照明光源及び前記第２照明光源から発せられる照明光を被検者眼へ導光するために前記照明光学系の光軸上に配置される光学部材と、
前記一対とされる一方の前記第２照明光源から発せられる照明光束を他方の前記第１照明光源の照明光束と同軸とし，該同軸とされた両光源からの照明光束を前記光学部材に向けて前記光軸に沿うようにガイドするガイド部材と、
を備えることを特徴とする眼科装置。
【請求項２】
請求項１に記載の眼科装置において、
前記ガイド部材は前記同軸とするための反射面を有し、前記反射面は前記照明光学系の軸周りに複数並べて配置されており、前記反射面の形状は前記光軸に近づくほど先細る先細り形状とされていることを特徴とする眼科装置。
【請求項３】
請求項１または２に記載の眼科装置において、
前記第２照明光源は前記第１照明光源よりも大きな光源であることを特徴とする眼科装置。
【請求項４】
請求項１〜３のいずれか１項に記載の眼科装置において、
前記第１の照明光源から射出される照明光または前記第２の照明光源から射出される照明光は被検者眼の瞳孔に集光し、瞳孔ではリング形状のパターン光が形成されることを特徴とする眼科装置。
【請求項５】
請求項１〜４のいずれか１項に記載の眼科装置において、
前記第１の照明光源と前記ガイド部材の間、および前記第２の照明光源と前記ガイド部材の間には照明光束を制限するための絞りが設けられており、前記絞りは被検者眼の前眼部と共役な位置に配置されていることを特徴とする眼科装置。
【発明の詳細な説明】
【技術分野】
【０００１】
本開示は、被検者眼を撮像する眼科装置に関する。
【背景技術】
【０００２】
被検眼を撮像する眼科装置が知られている。特許文献１の眼科撮影装置は、被検眼の前眼部と共役となる位置の近傍に、可視光を照射する照明光源を配置している。照明光源には、複数個の青色発光ＬＥＤ素子がリング状かつ離散的に配列されている。青色発光ＬＥＤ素子から発せられる光は、その像が被検眼の瞳孔の付近に形成されるリング絞りを介して、眼底を照明する。
【先行技術文献】
【特許文献】
【０００３】
【特許文献１】特開２０１０−１９４１６０号公報
【発明の概要】
【発明が解決しようとする課題】
【０００４】
ところで、ＬＥＤ素子等の発光素子を用いて眼底を好適に照明しようとする場合、十分な光量を確保するためには複数の発光素子を必要となる。また、複数の発光素子を用いる場合、均一な照明光を得るために必要な所定のパターン形状を形成する必要がある。このように照明用の所定形状のパターン光（例えばリング光）を、複数個の発光素子を用いて形成する場合、例えば、次に示す課題がある。発光素子のサイズを大きくするほど照射光量に余裕が生じ易いが、その反面で、照射光学系の光学素子（レンズ等）のサイズが大きくなり易い。また、パターン光の形成に使用する発光素子の数を減らすほど、照明ムラ、光量不足等になり易い。
【０００５】
本開示は、上記の従来技術の問題点に鑑みて、被検者眼の眼底を複数個の発光素子を用いて、好適に照明することのできる眼科装置を提供することを技術課題とする。
【課題を解決するための手段】
【０００６】
上記課題を解決するために、本発明は以下のような構成を備えることを特徴とする。
（１）  被検者眼の眼底を照明するための照明光学系を備える眼科装置において、前記照明光学系は、所定の波長域の光を発する第１の照明光源であって，前記照明光学系の光軸に沿って照明光束を照射するように配置される第１照明光源と、該第１照明光源とは異なる波長域の光を発する第２の照明光源であって，前記光軸に対して前記第１照明光源より離れた位置に配置され前記光軸に近づく方向に向けて照明光束を照射するように配置される第２照明光源と、を一対の光源とし、該一対の光源を前記照明光学系の軸周りに複数並べて所定のパターン状に一体的に配置してなる照明手段と、前記照明手段の前記第１照明光源及び前記第２照明光源から発せられる照明光を被検者眼へ導光するために前記照明光学系の光軸上に配置される光学部材と、前記一対とされる一方の前記第２照明光源から発せられる照明光束を他方の前記第１照明光源の照明光束と同軸とし，該同軸とされた両光源からの照明光束を前記光学部材に向けて前記光軸に沿うようにガイドするガイド部材と、を備えることを特徴とする。
【発明の効果】
【０００７】
本開示によれば、被検者眼の眼底を複数個の発光素子を用いたパターン光で照明する、コンパクトな照射光学系を備えた眼科装置を提供することができる。
【図面の簡単な説明】
【０００８】
【図１】本実施形態の眼科装置を左側方から見た外観図である。
【図２】図１の眼科装置の光学系の概略構成図である。
【図３】瞳孔に形成されるパターン光の図である。
【図４】制御系の概略構成図である。
【図５】光源部の正面図である。
【図６】光源部の背面図である。
【図７】図５のＡ−Ａ断面図である。
【図８】比較説明用の図である。
【図９】比較説明用の図である。
【図１０】光学系の変容例である。
【発明を実施するための形態】
【０００９】
以下、本開示における典型的な実施形態について、図面を参照して説明する。本実施形態では、被検者眼Ｅの眼底に照明光を投光して被検者眼Ｅの眼底を撮影する眼底撮影装置を、眼科装置１の一例として説明する。
【００１０】
図１を用いて説明する。本実施形態の眼科装置１は、被検者眼Ｅの撮影を行うための各種光学系を含む光学部３、被検者眼Ｅの観察像等を表示するための表示部８、光学部３をベース部７上で上下／左右／前後方向（３次元方向）に移動させるためのモーターを備えるＸＹＺ駆動部６、被検者の顔を固定するための顎載せ台５、およびＸＹＺ駆動部６が備えるモーターの駆動を手動で操作するためのジョイスティック４を備える。
【００１１】
＜光学部＞
次いで図２を用いて本実施形態の光学部３を説明する。本実施形態の光学部３は、被検者眼Ｅの眼底を観察・撮影するための眼底観察・撮影光学系１０、被検者眼Ｅの前眼部を観察するための前眼部観察光学系２０、被検者眼Ｅの眼底に観察用の照明光を投光するための観察照明光学系３０、被検者眼Ｅの眼底に撮影用の照明光を投光するための撮影照明光学系４０（照明光学系）、被検者眼Ｅの前眼部に観察用の照明光を投光するための前眼部照明光学系５０、被検者眼Ｅに固視標を呈示するための固視標呈示光学系６０を備える。
【００１２】
＜眼底観察＞
本実施形態では、観察照明光学系３０の光軸と眼底観察・撮影光学系１０の光軸（光軸Ｌ１）とが同軸である。複数のＬＥＤ３１は光軸Ｌ１から離れた位置に配置されている。詳細には、複数のＬＥＤ３１は、眼底観察・撮影光学系１０の撮像光束と干渉しない位置に配置されている。複数のＬＥＤ３１は光軸Ｌ１の周方向に均等な間隔で配置されており、各々のＬＥＤ３１は赤外光（例えば８５０ｎｍの波長）を発する。ＬＥＤ３１から射出された眼底観察光（照明光）は、光軸Ｌ１上に斜設された補助ミラー２５、光軸Ｌ１上に斜設されたダイクロイックミラー２１（光学部材）、対物レンズ１１の順で介して被検者眼Ｅの瞳孔に一旦集光する。被検者眼Ｅの瞳孔には複数のＬＥＤ３１の配置に対応したパターン光が形成される。瞳孔に集光した眼底観察光は再び拡散して眼底を照明する。眼底で反射した眼底観察光は、対物レンズ１１、ダイクロイックミラー２１、補助ミラー２５、撮影絞り１２、レンズ１３、結像レンズ１４、ダイクロイックプリズム６１、フィルター１５の順で介して進み撮像素子１６に集光（結像）する。撮像素子１６の出力信号を用いた眼底観察像が表示部８に表示される。
【００１３】
＜眼底撮影＞
次いで被検者眼Ｅの眼底撮影を説明する。なお、光源部４４（照明手段）の詳細な説明は後ほど行う。撮影照明光学系４０の光源部４４から射出された撮影光（本実施形態では撮影用の励起光であり、波長４９０ｎｍ又は波長５５０ｎｍの光）は、円環状の開口部を有するリングスリット４３、円環状の開口部を有する水晶体絞り４２、光軸Ｌ２上に斜設されたダイクロイックミラー４１の順で介して進みダイクロイックミラー２１で被検者眼Ｅの方向に反射する。なお、撮影光はダイクロイックミラー４１を透過する。ダイクロイックミラー２１にて光軸Ｌ２と光軸Ｌ１が同軸化される。ダイクロイックミラー２１で反射された撮影光は、対物レンズ１１を介して進み被検者眼Ｅの瞳孔に集光してリング形状のパターン光ＰＴＮ（図３参照）を形成する。瞳孔に形成されたパターン光ＰＴＮは再び拡散して眼底を照明する。眼底からの撮影光（詳細には励起光の反射、および励起光により発生した蛍光）は、対物レンズ１１、ダイクロイックミラー２１、補助ミラー２５、撮影絞り１２、レンズ１３、結像レンズ１４、ダイクロイックプリズム６１の順で介して進みフィルター１５に入射する。フィルター１５では眼底からの光のうち蛍光成分が抽出（透過）されて撮像素子１６に集光（結像）する。撮像素子１６の出力信号を用いた眼底撮影像が表示部８に表示される。
【００１４】
本実施形態のダイクロイックミラー２１は、励起光の波長帯（例えば４５０〜５５０ｎｍ）と後述する前眼部観察光の波長帯（例えば９５０ｎｍ）とを反射すると共に、眼底観察光と蛍光の波長帯（例えば波長７００〜８８０ｎｍ）を透過する特性を有している。つまり、ダイクロイックミラー２１は、眼底を照明する励起光を反射するが、眼底で発生した蛍光を透過する。また、本実施形態のフィルター１５は、蛍光（例えば波長７００〜８００ｎｍ）を抽出するバリアフィルタ―の特性を有すると共に、眼底観察光（赤外光）の波長を透過する特性を有している。つまり、本実施形態のフィルター１５は、特定の波長帯を選択的に透過できる。また、本実施形態の撮像素子１６は、赤外帯域の波長および可視帯域の波長の感度を有するイメージセンサー（例えばＣＭＯＳイメージセンサー）である。撮像素子１６は被検者眼Ｅの眼底と共役（略共役）な位置に配置されている。なお、パターン光ＰＴＮの形状はリング形状に限るものではない。例えば、離散したリング状であってもよい。
【００１５】
＜視標呈示＞
次いで被検者眼Ｅへの視標の呈示を説明する。ＬＣＤ６２は被検者眼Ｅの眼底と共役な位置に配置されている。ＬＣＤ６２には視標像が表示される。ＬＣＤ６２から発せられた視標光（可視光）はダイクロイックプリズム６１で反射する。ダイクロイックプリズム６１で反射した視標光は、結像レンズ１４、レンズ１３、撮影絞り１２、補助ミラー２５、ダイクロイックミラー２１、対物レンズ１１の順で介して進み被検者眼Ｅの眼底に集光（結像）する。本実施形態のダイクロイックプリズム６１は、視標光の波長帯（例えば５００〜６００ｎｍ）のみを反射して、その他の波長帯の光を透過する特性を有している。
【００１６】
本実施形態のダイクロイックプリズム６１、フィルター１５、撮像素子１６、およびＬＣＤ６２は、ベース７１に固定されている。ベース７１には駆動部７２が接続されている。駆動部７２が駆動されると、ベース７１は光軸Ｌ１に沿って移動される。これにより、被検者眼Ｅ毎に視度が異なったとしても、眼底と撮像素子１６（又はＬＣＤ６２）の共役関係を維持できる。
【００１７】
＜前眼部観察＞
次いで被検者眼Ｅの前眼部観察を説明する。本実施形態のＬＥＤ５１は対物レンズ１１の周辺に設けられており、赤外光（例えば波長９５０ｎｍ）を射出する。ＬＥＤ５１から射出された前眼部観察光（照明光）は被検者眼Ｅを照明する。被検者眼Ｅで反射した前眼部観察光は、対物レンズ１１を介した後、ダイクロイックミラー２１で反射する。ダイクロイックミラー２１で反射された前眼部観察光は、光軸Ｌ２に沿って進みダイクロイックミラー４１で再び反射する。本実施形態のダイクロイックミラー４１は光軸Ｌ２上に斜設されており、前眼部観察光（波長９５０ｎｍ）を反射して、励起光（波長４９０ｎｍ又は波長５５０ｎｍ）を透過する特性を有している。ダイクロイックミラー４１で反射した前眼部観察光は、レンズ２２、結像レンズ２３の順で介して撮像素子２４に集光（結像）する。撮像素子２４の出力信号を用いた前眼部観察像が表示部８に表示される。本実施形態の撮像素子１６は赤外帯域の波長の感度を有するイメージセンサーであり、被検者眼Ｅの前眼部と共役な位置に配置されている。
【００１８】
＜制御部＞
図４を併用して、本実施形態の制御部８０を説明する。本実施形態の制御部８０は、眼科装置１の動作を制御する。制御部８０は、眼科装置１の各部制御を司るＣＰＵ８１（プロセッサ）、各種プログラム，初期値等が記憶されているＲＯＭ８２、各種情報を一時的に記憶するＲＡＭ８３、および電源の供給が遮断されても記憶内容を保持できる非一過性の記憶媒体である不揮発性８４を備える。制御部８０またはＣＰＵ８１をコンピュータと呼んでもよい。制御部８０には、第２波長ＬＥＤ９１（第２の照明光源：９１ａ〜９１ｈ）、第１波長ＬＥＤ９４（第１の照明光源：９４ａ〜９４ｈ）、撮像素子２４、ＬＥＤ５１、ＬＥＤ３１、撮像素子１６、ＬＣＤ６２、駆動部７２、ジョイスティック４、ＸＹＺ駆動部６、表示部８等が接続される。
【００１９】
＜光源部＞
図５〜７を用いて本実施形態の光源部４４を説明する。本実施形態の光源部４４は、波長特性が異なる複数種類の照明光を射出できる。光源部４４から射出される照明光は光軸Ｌ２に沿って進む。本実施形態の光源部４４は、波長４９０ｎｍの照明光（第１励起光）と波長５５０ｎｍの照明光（第２励起光）とを射出できる。これにより、本実施形態の眼科装置１は、被検者眼Ｅの眼底を、波長特性が異なる励起光で蛍光撮影できる。本実施形態では２種類の照明光を選択的に射出するが、２種類の照明光を同時に射出して眼底を撮像してもよい。
【００２０】
光源部４４から射出される２種類の照明光は共に、被検者眼Ｅの瞳孔にてリング形状のパターン光ＰＴＮ（図３参照）を形成して、眼底を照明（励起）する。２種類の励起光は共に、少なくとも、瞳孔と共役な位置に配置されるリングスリット４３と対物レンズ１１とを介して眼底を照明（励起）する。図５は光源部４４の正面図（図２の光源部４４を紙面下方から見た外観図）である。図６は光源部４４の背面図（図２の光源部４４を紙面上方から見た外観図）である。図７は光源部４４の断面図（図５のＡ−Ａ断面）である。
【００２１】
光源部４４を正面（図５参照）から見ると、光軸Ｌ２の周囲には複数のダイクロイックプリズム９３ａ〜９３ｈ（ガイド部材）が配置されている。なお、以降の説明では、ダイクロイックプリズム９３ａ〜９３ｈの少なくとも何れかを示す場合をダイクロイックプリズム９３と称する場合がある。なお、第１プリズム９６、第２プリズム９７、反射面９８等についても同様の記載をする場合がある。ダイクロイックプリズム９３は、光軸Ｌ２に対して周方向に並べて配置されている。各々のダイクロイックプリズム９３は、正面から見ると光軸Ｌ２に近づくにつれて先細る先細り形状（本実施形態では台形形状）とされている。各々のダイクロイックプリズム９３は、第１プリズム９６、第２プリズム９７、および反射面９８を含む（図７を合わせて参照）。
【００２２】
各々のダイクロイックプリズム９３は、正面側から背面側にかけて、第１プリズム９６、反射面９８、第２プリズム９７の順で部材が配置されている。第１プリズム９６の傾斜面と第２プリズム９７の傾斜面とは向き合い配置されており、第１プリズム９６と第２プリズム９７の間に反射面９８が形成されている。各々の反射面９８は、正面方向から見ると光軸Ｌ２に近づくにつれて先細る先細り形状とされている。本実施形態の第１プリズム９６と第２プリズム９７はガラスで形成されている。反射面９８は、第１プリズム９６と第２プリズム９７の少なくとも何れかの傾斜面にコーティング処理で形成されている。なお、例えば、第１プリズム９６を樹脂で形成し、第２プリズム９７をガラスで形成し、第２プリズム９７の傾斜面に前述したコーティング処理（例えば誘電体多層膜）を行ってもよい。なお、第１プリズム９６と第２プリズム９７の少なくとも何れかをモールドで形成してもよい。
【００２３】
本実施形態の反射面９８は、第２波長ＬＥＤ９１から射出される光（例えば波長４９０ｎｍ）を反射して第１波長ＬＥＤ９４から射出される光（例えば波長５５０ｎｍ）を透過する特性を有している。光軸Ｌ２の周囲に配置される各々の反射面９８の垂線は、それぞれ異なる方向を向いている。これにより、各々の第２波長ＬＥＤ９１の射出方向が異なっても、各々の第２波長ＬＥＤ９１から射出される光の何れもが被検者眼Ｅに向けて偏向され、且つ、被検者眼Ｅの瞳孔にパターン光ＰＴＮが効率よく形成される。つまり、各々の反射面９８は、第２波長ＬＥＤ９１から射出される光（光束）を、光軸Ｌ２に近づけつつダイクロイックミラー２１に向けるようにガイドするガイド部材（ガイド手段）である。
【００２４】
ダイクロイックプリズム９３の背面側には、複数の第１波長ＬＥＤ９４が離散的且つリング状に配置されている（図６参照）。第１波長ＬＥＤ９４を構成する複数のＬＥＤは光軸Ｌ２に直交する平面上に並べられている。詳細には、８つの第１波長ＬＥＤ９４が、光軸Ｌ２の周方向に均等な間隔で配置されている。第１波長ＬＥＤ９４の射出方向は、光軸Ｌ２と平行である。換言するなら、第１波長ＬＥＤ９４は、光軸Ｌ２に沿って照明光束を照射するように配置されている。第１波長ＬＥＤ９４の形状（各々のＬＥＤの形状）は、正面からみると円形である。第１波長ＬＥＤ９４の正面側は、半球形状で形成されている。第１波長ＬＥＤ９４とダイクロイックプリズム９３の間には絞り９５が配置されている。絞り９５は、各々の第１波長ＬＥＤ９４から出射される光の少なくとも一部の光束を遮光する。本実施形態の絞り９５は、被検者眼Ｅの角膜と共役な位置に配置されている。被検者眼Ｅの角膜には絞り９５の像が形成される。つまり、被検者眼Ｅの角膜では、絞り９５の形状に対応したリング形状の開口部（像）が形成される。絞り９５として、各々の第１波長ＬＥＤの射出軸上に円形状の開口部が形成されていてもよい。絞り９５は、ダイクロイックプリズム９３内での不要な反射を抑制できると共に、被検者眼Ｅでの不要な反射等を抑制できる。絞り９５の開口部を通過した光は、反射面９８を通過すると共に、拡散しながらリングスリット４３を通過する。
【００２５】
ダイクロイックプリズム９３の側面側（光軸Ｌ２から遠ざかる方向）には、複数の第２波長ＬＥＤ９１が離散的且つリング状に配置されている（図５，６参照）。詳細には、８つの第２波長ＬＥＤ９１（９４ａ〜９４ｈ）が、光軸Ｌ２の周方向に均等な間隔で配置されている。各々の第２波長ＬＥＤ９１は光軸Ｌ２を向いている。第２波長ＬＥＤ９１の形状は、前述した第１波長ＬＥＤ９４と同様な形状とされている。しかし、第２波長ＬＥＤ９１のサイズは、第１波長ＬＥＤ９４のサイズよりも大型である。つまり、第２波長ＬＥＤ９１は第１波長ＬＥＤ９４よりも大きな光源である。第２波長ＬＥＤ９１は第１波長ＬＥＤ９４よりも大光量を射出できる。一例として、第２波長ＬＥＤ９１は、縦、横、奥行きのそれぞれの寸法が、第１波長ＬＥＤ９４に対して２倍である。第２波長ＬＥＤ９１とダイクロイックプリズム９３の間には絞り９９が配置されている。絞り９９は、各々の第２波長ＬＥＤ９１から出射される光の少なくとも一部の光束を遮光する。本実施形態の絞り９９は、被検者眼Ｅの角膜と共役な位置に配置されている。被検者眼Ｅの角膜では、リング形状の開口部が形成される。絞り９９として、アーチ形状（湾曲したスリット）の開口部が形成されていてもよい。前述した絞り９５と同様に、絞り９９はダイクロイックプリズム９３内での不要な反射を抑制できると共に、被検者眼Ｅでの不要な反射等を抑制できる。絞り９９の開口部を通過した光は、反射面９８でリングスリット４３（換言するならダイクロイックミラー２１）の方向に反射すると共に、拡散しながらリングスリット４３を通過する。
【００２６】
図７を用いて光軸Ｌ２と直交する一方向のみに着目すると、第１波長ＬＥＤ９４ｇと、第２波長ＬＥＤ９１ｇとが一対となり、ダイクロイックプリズム９３ｇと組み合っている。第１波長ＬＥＤ９４、第２波長ＬＥＤ９１、およびダイクロイックプリズム９３からなる組合せ（本実施形態では８つ）が、光軸Ｌ２の周方向に並べて配置されている。各々の光源から発せられた光はダイクロイックプリズム９３を介してダイクロイックミラー２１の方向に進む。つまり、ダイクロイックプリズム９３により第１波長ＬＥＤ９４の照明光束と第２波長ＬＥＤ９１の照明光束とが同軸とされる。
【００２７】
なお、第１波長ＬＥＤ９４または第２波長ＬＥＤ９１の形状（種類）は本実施形態に限るものではない。ＬＥＤの形状（種類）の一例として、砲弾型、ＳＭＤ型、フラックス型、ボールレンズ付き型、反射型と呼ばれる種類がある。１つのＬＥＤ素子から複数波長の光を射出できるタイプもある。なお、本実施形態の各々の第２波長ＬＥＤ９１は、フレーム９２に固定されている。つまり本実施形態ではフレーム９２と第２波長ＬＥＤ９１との組み合わせにより、ダイクロイックプリズム９３に対して着脱可能なユニットＵＮＴが形成されている。本実施形態では、ユニットＵＮＴを交換するだけで、異なる波長の光で被検者眼Ｅを撮影できる。もちろん、眼科装置１がユニットＵＮＴを備えず、第１波長ＬＥＤ９４のみで撮影できてもよい。また、眼科装置１が第１波長ＬＥＤ９４を備えず、第２波長ＬＥＤ９１のみで撮影できてもよい。
【００２８】
＜光源部の効果＞
本実施形態の光源部４４の作用を、図８，９を併用して説明する。図８，９は比較用の説明図であり、光源部の正面図である。各ＬＥＤからは紙面手前方向に光が射出される。先ず、図８を用いて説明する。図８は、第１波長の光を射出する第１波長ＬＥＤ２１０と第２波長の光を射出する第２波長ＬＥＤ２２０とを、光軸Ｌ２の周方向に交互に並べた場合の光源部である。図８に示す比較用の光源部の場合、同一種類のＬＥＤ同士（例えば第１波長ＬＥＤ２１０ａと第１波長ＬＥＤ２１０ｂ）の間隔が、同一種類のＬＥＤのみで並べて配置した場合に対して離れてしまう。これにより、被検者眼Ｅの眼底を照明した場合に、照明ムラが生じ易くなる可能性がある。一方、例えば本実施形態の光源部４４は、２種類の波長の光を射出できつつ、図８で示す比較用の光源部よりも照明ムラを生じ難くし易い。
【００２９】
次いで、図９を用いて説明する。図９は、図８のＬＥＤ（第１波長ＬＥＤ２１０および第２波長ＬＥＤ２２０）を大型化した場合の説明図である。例えば、ＬＥＤを大型化すると大光量を得易い場合がある。また、形状の制約が減ることで、ＬＥＤの選択肢が増える場合がある。図９の実線箇所（第１波長ＬＥＤ２１０と第２波長ＬＥＤ２２０）は図８と同じＬＥＤであり、図９の点線箇所（第１波長ＬＥＤ２１０’と第２波長ＬＥＤ２２０’）は、図８のＬＥＤよりもＬＥＤのサイズを大型化した場合である。なお図９では、ＬＥＤのサイズの大小に関わらず、各々のＬＥＤの隙間Ｄを一定としている。図９から明らかなように、ＬＥＤを大型化すると配置径が大きくなる。これにより、撮影照明光学系４０の各光学素子（例えばダイクロイックミラー４１，対物レンズ１１）の大型化を招き易くなる可能性がある。一方、例えば本実施形態の光源部４４は、大型化するＬＥＤを第２波長ＬＥＤ９１側に配置すればよいため、図９で示した比較用の光源部よりも、撮影照明光学系４０をコンパクトにし易い。
【００３０】
以上説明したように、本実施形態の眼科装置１は、被検者眼Ｅの眼底を照明するための撮影照明光学系４０を備えている。撮影照明光学系４０は、所定の波長域の光を発する第１の照明光源であって，撮影照明光学系４０の光軸Ｌ２に沿って照明光束を照射するように配置される第１波長ＬＥＤ９４と、第１波長ＬＥＤ９４とは異なる波長域の光を発する第２の照明光源であって，光軸Ｌ２に対して第１波長ＬＥＤ９４より離れた位置に配置されて光軸Ｌ２に近づく方向に向けて照明光束を照射するように配置される第２波長ＬＥＤ９１とを一対の光源とし、一対の光源を撮影照明光学系４０の軸周りに複数並べて所定のパターン状に一体的に配置してなる光源部４４を備えている。ここで、撮影照明光学系４０の光軸Ｌ２上には、光源部４４の第１波長ＬＥＤ９４及び第２波長ＬＥＤ９１から発せられる照明光を被検者眼Ｅへ導光するためにダイクロイックミラー２１が配置される。本実施形態の眼科装置１は更に、一対とされる一方の第２波長ＬＥＤ９１から発せられる照明光束を他方の第１波長ＬＥＤ９４の照明光束と同軸とし，同軸とされた両光源からの照明光束をダイクロイックミラー２１に向けて前記光軸に沿うようにガイドするダイクロイックプリズム９３を備える。これにより、被検者眼Ｅの眼底を複数個の発光素子を用いて、好適に照明することができる。
【００３１】
なお、本実施形態では、第２波長ＬＥＤ９１から発せられる照明光（励起光）の方向を、ダイクロイックプリズム９３（ガイド部材）にてダイクロイックミラー２１の方向にガイド（偏向）している。しかし、照明光のガイド方法はダイクロイックプリズム９３に限るものではない。例えば、ガイド部材として、ミラー、ライトパイプ等を用いてもよい。また、本実施形態の第１波長ＬＥＤ９４は第１波長の励起光を射出し、第２波長ＬＥＤ１９１は第２波長の励起光を射出する。しかし、光源部４４の態様はこれに限るものではない。例えば、第１波長ＬＥＤ９４が赤外光を射出して、第２波長ＬＥＤ９１が白色光を射出してもよい。この場合、例えば、ダイクロイックミラー２１の箇所をハーフミラーにすればよい。これにより、コンパクトな光学系ながらも、小型ＬＥＤを用いた低光量による眼底観察と、大型ＬＥＤを用いた大光量による眼底撮影を行い易い。
【００３２】
なお、本実施形態ではダイクロイックミラー２１を用いて撮影照明光学系４０と眼底観察・撮影光学系１０とを同軸化している。しかし、ダイクロイックミラー２１の代わりにホールミラーを用いて、撮影照明光学系と眼底観察・撮影光学系を同軸化してもよい。ここで、ホールミラーは、照明手段の第１照明光源及び第２照明光源から発せられる照明光を被検者眼Ｅへ導光するために照明光学系の光軸上に配置される光学部材である。撮影光学系の光軸はホールミラーの穴開き箇所を通過する。図１０はホールミラー１２１を用いた変容例の光学部を示している。第１波長ＬＥＤ１９４から射出される観察光（赤外光）は、絞り、反射面１９８、リングスリット１４３、水晶体絞り１４２、レンズ１２４、黒点板１２３、レンズ１２２の順で通過してホールミラー１２１の鏡面部で反射する。ホールミラー１２１の鏡面部で反射した観察光は、対物レンズ１１１を介した後に被検者眼Ｅの瞳孔に集光してリング状のパターン光を形成し、眼底を照明する。眼底で反射した観察光は、対物レンズ１１１を透過した後、ホールミラー１２１の鏡面部の中心に形成されている開口部、撮影絞り１１２、フォーカスレンズ１１３、結像レンズ１１４、ダイクロイックミラー１６１の順で介して撮像素子１１６に集光（結像）する。
【００３３】
撮影時は第２波長ＬＥＤ１９１から撮影光（白色光）が射出される。第２波長ＬＥＤ１９１から射出される撮影光は、絞りを通過した後に反射面１９８で反射する。反射面１９８で反射した撮影光は、観察光と同様にして撮影照明光学系を進み、被検者眼Ｅの眼底を照明する。眼底で反射した照明光は観察時と同様にして眼底観察・撮影光学系を進み撮像素子１１６に集光（結像）する。なお、ダイクロイックミラー１６１は撮影時に光軸Ｌ１上から退避する。また、ＬＣＤ１６２には固視標が表示されて、ＬＣＤ１６２から発せられる視標光はレンズ１６３を透過した後にダイクロイックミラー１６１で光軸Ｌ１方向に反射して、対物レンズ１１１等を介して被検者眼Ｅの眼底に集光（結像）する。
【００３４】
なお、本実施形態の光源部４４は、同一種類のダイクロイックプリズム９３を周方向に並べて配置し、且つ、同一波長特性のＬＥＤを周方向に並べて配置している。しかし、反射面９８の波長特性（反射・透過）と反射面９８に入射する光の波長特性とを一致させて、波長特性が異なるＬＥＤを並べて配置させることもできる。例えば、第１波長を反射する反射面と第２波長を反射する反射面とを周方向に交互に並べて配置し、異なる方向に配置される各々のＬＥＤ群において、反射面の特性に対応するパターンで、第１波長ＬＥＤと第２波長ＬＥＤが交互に並べて配置されてもよい。また、本実施形態の眼科装置１は表示部８に眼底像を表示するが、眼底像の表示は必ずしも必要ではない。本開示の技術は、例えば、被検者眼Ｅの眼底像を解析する眼科装置にも適用できる。
【００３５】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００３６】
１  ：眼科装置
２１：ダイクロイックミラー
４０：撮影照明光学系
４４：光源部
９１：第２波長ＬＥＤ
９３：ダイクロイックプリズム
９４：第１波長ＬＥＤ
Ｌ２：光軸
Ｅ  ：被検者眼
【図１】
2018038496.tif 000003
【図２】
2018038496.tif 000004
【図３】
2018038496.tif 000005
【図４】
2018038496.tif 000006
【図５】
2018038496.tif 000007
【図６】
2018038496.tif 000008
【図７】
2018038496.tif 000009
【図８】
2018038496.tif 000010
【図９】
2018038496.tif 000011
【図１０】
2018038496.tif 000012